(57)【要約】【課題】上下風向板の水平状態を保持でき、外観を損なうことなく、コスト的にも有利な空気調和機を提供する。【解決手段】室内機本体の室内空気吹出口は露受皿５で形成されており、その吹出口側壁には上下風向板７を支持する支持穴５ａがあり、支持穴５ａに上下風向板の支持軸７ａを受ける軸受け８と上下風向板７の支持軸７ａが挿入されている。上下風向板７の支持軸７ａにバネ１０の力により回転モーメントを与えるバネ部材９を取り付け、バネ部材９を吹出口外側に固定させることで、常に上下風向板７の支持軸７ａについて、この上下風向板自重による回転方向ａとは逆方向の回転モーメントが加えられる。これにより、上下風向板自重によるねじれを抑制し、水平状態を保持でき、外観を損なうことなく、上下風向板７をモータ２個で両端支持する場合に比べてコスト的にも有利な空気調和機となる。【選択図】図１
2008190809.tif 000002
【特許請求の範囲】
【請求項１】
吸込口と吹出口を結ぶ空気通路に、熱交換器と送風ファンとを設け、前記吹出口に上下風向板を回動自在に軸支してある壁掛け式空気調和機において、
上下風向板の軸部にバネの力により回転モーメントを与えるバネ部材を上記吹出口の側壁外側に配設したことを特徴とする空気調和機。
【発明の詳細な説明】
【技術分野】
【０００１】
本発明は、空気調和機の室内機に関し、特に、上下風向板の水平状態を保持するバネ部材に関するものである。
【背景技術】
【０００２】
従来の空気調和機の室内機は、例えば図２、３で示す外観をしており、内部構造は図４の断面図のように表される。これらの図から判るように、幅方向に長い吹出口５には空気の吹出し方向を上下に変えるための板状の上下風向板７が配設されている。そして、この上下風向板７の左右両端には、図５に示すように支持軸７aが形成されている。この支持軸７aには図５に示すように、吹出口側壁の支持穴５ａに上下風向板７の支持軸を受ける軸受け８と上下風向板７の支持軸７aが挿入されている。また、この支持軸の一方の支持軸７aには上下風向板７を上下方向に回動させるためのモータが取り付けられる(図示せず)。特に本体１が大型で横幅が大きい場合には、上下風向板７の横幅も比例して大きく設計される。このため、吸込口２a、２ａ’から吸い込まれ、前記本体１内で熱交換器３により熱交換された空気を送風ファン４により吹出口５から吹出す際、この吹出口５の両側壁に設けられたこの上下風向板７の支持軸７ａにより、回動自在に軸支されている。このように回動自在に軸支された上下風向板７をほぼ水平位置に回動させる際に、この上下風向板７は風向板自身の自重の影響で下方にたわみが生じるという問題があった。
【０００３】
上記問題を解決しようとした従来技術として、特開平08−061762号が開示されており、この内容としては、水平状態にある上下風向板７のたわみを防止する支持具を、吹出口の上部に一体的に形成して、この支持具で上下風向板の中央部を支持して外観性を向上させた空気調和機が挙げられる。
【０００４】
【特許文献１】特開平08-061762号公報
【発明の開示】
【発明が解決しようとする課題】
【０００５】
上記従来技術の前者及び後者のように、上下風向板回動用モータが片側支持のみに接続されている場合は、上下風向板７の静止時において、モータ支持側は上下風向板７が回動せず、この反対側の支持側は単に軸受の穴に挿入支持されているだけで回動自在になっているため、上下風向板７のねじれ変形を生じるという形状変化が生じ、外観を損ねてしまうといった問題がある。そのため、モータを二つ使用し、上下風向板７の両側を支持して、水平状態を保持する方策も考えられるが、コスト的に不利となる問題があった。
【０００６】
本発明の課題は、モータ一つで上下風向板７のたわみ及びねじれを防止できるようにすることにある。
【課題を解決するための手段】
【０００７】
本発明は上記課題を解決するため、上下風向板７を支持している吹出口５の側壁のうち、モータの配置されていない側壁の外側面に、上下風向板の支持軸７ａにバネの力により、上下風向板が自重によりねじれ変形する力に抗する回転モーメントを与えるバネ部材９を取り付け、そのバネ部材９を吹出口側壁外側に固定させることで、常に上下風向板の支持軸７ａについて、同上下風向板７の自重による回転方向とは逆方向の抵抗が加えられるような構成とした。これによって上下風向板７の水平状態を保持でき、外観を損なうことなく、上下風向板７をモータ２個で両端支持する場合に比べてコスト的にも有利な空気調和機となる。
【発明の効果】
【０００８】
本発明により、上下風向板７の自重によるねじれを防止することで、上下風向板７の水平状態を保持することができ、外観を損なうことなく、コスト的にも有利な空気調和機が実現できる。
【発明を実施するための最良の形態】
【０００９】
以下、本発明の空気調和機の実施例を図面に基づいて説明する。
【００１０】
図２、３は本発明の空気調和機の全体構成、図４は断面図を示す。本発明の空気調和機は室外機と室内機の分離型であるが、室外機は割愛した。
【００１１】
図４において、１は室内機本体を示しており、２はこの本体１に着脱可能に被せられた化粧カバーである。また、２ａはこの本体１の上面部に設けられた吸込口を表しており、２ａ’は前面部に設けられた吸込口を表している。３はこの本体１内に設けられ、この吸込口２ａ及び２ａ’から吸い込まれた空気を熱交換する熱交換器である。４は空気通路に設けられ、熱交換された空気を後述する吹出口５に送出する送風ファンであり、５は室内に向けて熱交換された空気を吹き出す吹出口で、露受皿という部品で構成されている。６は前記吹出口５の後方の底壁面に回動自在に軸支され、吹出口左右方向に向けて風向を調節する複数の左右風向板である。７は同左右風向板６の前方のこの吹出口５の両側壁面に支持軸７ａを備えて回動自在に軸支され、吹出口上下方向に向けて風向を調節する上下風向板である。この上下風向板７をほぼ水平位置に静止した際、モータ支持側の支持軸については、回動をモータによって制限されているが、モータ支持側と反対側の支持軸については、回動自在なため、図１のａ方向に自重により少しばかり回転してしまい、図８のａ’だけねじれたように見えてしまう。この現象を抑制するために、図１で示すように、モータ支持側と反対側の側壁外側に上下風向板７のねじれを防止するバネ部材９を配置した。そして、このバネ部材９により上下風向板７が水平に保持され、この上下風向板７のねじれを防止する構成となっている。
【００１２】
次に、本発明の上下風向板７の支持軸７ａにバネの力により回転モーメントを与えてねじれを防止するバネ部材９について説明する。
【００１３】
図６は本発明の上下風向板７の軸部７ａにバネ１０の力により回転モーメントを与えるバネ部材９の斜視図であり、バネ１０とカバー部品１１、回動部品１２より構成されている。また、図９は本発明による空気調和機の上下風向板７の組立工程を示した図であり、図１０は本発明によるバネ部材９の組立状態の断面図である。バネ部材９の仕組みは図１０で表したようになる。吹出口を形成する露受皿５とバネ部材カバー１１がネジにより固定されており、このバネ部材カバー１１が１０ａでバネ１０と連結している。また、バネ１０はバネ部材可動部品１２と１０ｂで連結しており、バネ部材可動部品１２がａ方向に動くことで、バネ１０の力がｂ方向に働く構成となっている。このため、このバネ１０により、部品１２は回転モーメントがｂ方向に常に働く状態となっている。次に、図９のように、この部品１２の穴部に上下風向板７の支持軸７ａをｃ方向から挿入することで、上下風向板７の支持軸７ａについて回転方向ｂの回転モーメントが働く。このとき、図７に示すように、上下風向板７の自重によるねじれａ’が生じても、そのねじれａ’を防止できる分だけの回転ｂ’が働くようにバネ部材９のバネ１０の弾性力を選別して使用すればよい。
【００１４】
以上の構成により、モータは片側のみの支持で、上下風向板７の外観を損なうことなく、モータ二つで回動する場合と比べて、コスト的に有利な空気調和機となる。
【図面の簡単な説明】
【００１５】
【図１】本発明による上下風向板のバネ部材と露受皿の斜視図である。
【図２】本発明による空気調和機室内機の斜視図である。
【図３】本発明による空気調和機室内機の正面図である。
【図４】本発明による空気調和機室内機の断面図である。
【図５】従来の空気調和機の上下風向板の組立工程を示した図である。
【図６】本発明による上下風向板のバネ部材の斜視図である。
【図７】自重によるねじれの力とバネ部材の力がつりあった状態の図である。
【図８】自重によるねじれの力が働いている状態の図である。
【図９】本発明による空気調和記の上下風向板の組立工程を示した図である。
【図１０】本発明によるバネ部材の断面図である。
【符号の説明】
【００１６】
１…室内機、２…化粧カバー及び吸込口、２ａ…上面部吸込口、２ｂ…前面部吸込口、３…熱交換器、４…送風ファン、５…露受皿及び吹出口、５ａ…吹出口側壁の支持穴、６…左右風向板、７…上下風向板、７ａ…上下風向板の支持軸、８…軸受け、９…バネ部材、１０…バネ、１０ａ…バネ１０とバネ部材カバー部品１１との連結部、１０ｂ…バネ１０とバネ部材可動部品１２との連結部、１１…バネ部材カバー部品、１２…バネ部材可動部品、ａ…上下風向板自重によるねじれ方向、ａ’…上下風向板自重によるねじれ、ｂ…バネ１０による回転モーメント方向、ｂ’…バネ１０による回転。
【図１】
2008190809.tif 000003
【図２】
2008190809.tif 000004
【図３】
2008190809.tif 000005
【図４】
2008190809.tif 000006
【図５】
2008190809.tif 000007
【図６】
2008190809.tif 000008
【図７】
2008190809.tif 000009
【図８】
2008190809.tif 000010
【図９】
2008190809.tif 000011
【図１０】
2008190809.tif 000012